(57)【要約】【課題】リーク検査工程の作業効率を向上できる内視鏡洗浄装置を提供する。【解決手段】、内視鏡２００を収納する洗浄槽２０を備える内視鏡洗浄装置１００であって、内視鏡２００は、リーク検査を行う際にリーク検査用ホース４００が接続されるコネクタ部２１０を備え、洗浄槽２０の周囲上面には、内視鏡２００のコネクタ部２１０が載置される載置部３０が設けられる。また、載置部３０は、内視鏡２００が洗浄槽２０の所定位置に配置して収納されたときに、コネクタ部２１０が位置する側に設けられる。【選択図】図４
2014100219.tif 000002
【特許請求の範囲】
【請求項１】
内視鏡を収納する洗浄槽を備える内視鏡洗浄装置であって、
前記内視鏡は、リーク検査を行う際にリーク検査用ホースが接続されるコネクタ部を備え、
前記洗浄槽の周囲上面には、前記内視鏡のコネクタ部が載置される載置部が設けられる、
内視鏡洗浄装置。
【請求項２】
請求項１に記載の内視鏡洗浄装置であって、
前記内視鏡は、前記洗浄槽の所定位置に配置して収納され、
前記載置部は、前記内視鏡が前記洗浄槽の所定位置に配置されたときに、前記コネクタ部が位置する側に設けられる、
内視鏡洗浄装置。
【請求項３】
請求項１又は２に記載の内視鏡洗浄装置であって、
前記載置部は、前記洗浄槽に対して着脱可能に設けられる、
内視鏡洗浄装置。
【請求項４】
請求項１乃至３のいずれか一項に記載の内視鏡洗浄装置であって、
ワイヤーの先端側にブラシ部を備える洗浄ブラシを備え、
前記洗浄槽には、前記ブラシ部を取り出す洗浄ブラシ取り出し口が形成され、前記ブラシ部を差し込む洗浄ブラシ収納口が形成され、
前記洗浄ブラシ取り出し口及び前記洗浄ブラシ収納口は、長穴形状に形成され、かつ、前記洗浄ブラシ取り出し口の長手方向と前記洗浄ブラシ収納口の長手方向とが略平行となるように形成され、
前記洗浄ブラシを使用しないときには、前記ブラシ部は、前記洗浄ブラシ収納口に差し込んで収納される、
内視鏡洗浄装置。
【発明の詳細な説明】
【技術分野】
【０００１】
本発明は、内視鏡洗浄装置の洗浄槽の構造技術に関する。
【背景技術】
【０００２】
内視鏡は、医療現場において、生体の体腔内の検査や治療を行う器具である。内視鏡は、通常、院内感染を防止するために、使用後の徹底した洗浄及び消毒を行うことが義務付けられている。内視鏡洗浄装置は、内視鏡の洗浄及び消毒を半自動的に行う装置である。内視鏡洗浄装置は、使用後の内視鏡を洗浄槽に収納し、リーク検査工程、洗浄工程、すすぎ工程等の各種工程を自動的に行う装置である（例えば、特許文献１）。
【０００３】
リーク検査工程では、洗浄槽に収納された内視鏡のコネクタ部を一旦洗浄槽から取り出し、コネクタ部に設けられた接続口に圧縮空気を供給するためのリーク検査用ホースを接続する必要がある。接続口にリーク検査用ホースを接続する作業は、内視鏡のコネクタ部が固定されていない場合には、作業者は一方の手で内視鏡のコネクタ部を支持し、他方の手で接続口にリーク検査用ホースを接続する必要があるため、作業効率が悪くなる。
【０００４】
また、洗浄工程では、内視鏡の内部に形成される管路にワイヤーの先端側にブラシを備えた洗浄ブラシを差し込んで洗浄する作業が行われる。しかし、洗浄工程以外の例えばリーク検査工程では、洗浄ブラシは必要とされないため、洗浄ブラシのブラシ部を洗浄槽内に放置したままでは作業効率が悪くなる。
【先行技術文献】
【特許文献】
【０００５】
【特許文献１】特開２００９−２０７７４２号公報
【発明の概要】
【発明が解決しようとする課題】
【０００６】
本発明の解決しようとする課題は、リーク検査工程の作業効率を向上できる内視鏡洗浄装置を提供することである。
【課題を解決するための手段】
【０００７】
本発明の解決しようとする課題は以上の如くであり、次にこの課題を解決するための手段を説明する。
【０００８】
即ち、請求項１においては、内視鏡を収納する洗浄槽を備える内視鏡洗浄装置であって、前記内視鏡は、リーク検査を行う際にリーク検査用ホースが接続されるコネクタ部を備え、前記洗浄槽の周囲上面には、前記内視鏡のコネクタ部が載置される載置部が設けられるものである。
【０００９】
請求項２においては、請求項１に記載の内視鏡洗浄装置であって、前記内視鏡は、前記洗浄槽の所定位置に配置して収納され、前記載置部は、前記内視鏡が前記洗浄槽の所定位置に配置されたときに、前記コネクタ部が位置する側に設けられるものである。
【００１０】
請求項３においては、請求項１又は２に記載の内視鏡洗浄装置であって、前記載置部は、前記洗浄槽に対して着脱可能に設けられるものである。
【００１１】
請求項４においては、請求項１乃至３のいずれか一項に記載の内視鏡洗浄装置であって、ワイヤーの先端側にブラシ部を備える洗浄ブラシを備え、前記洗浄槽には、前記ブラシ部を取り出す洗浄ブラシ取り出し口が形成され、前記ブラシ部を差し込む洗浄ブラシ収納口が形成され、前記洗浄ブラシ取り出し口及び前記洗浄ブラシ収納口は、長穴形状に形成され、かつ、前記洗浄ブラシ取り出し口の長手方向と前記洗浄ブラシ収納口の長手方向とが略平行となるように形成され、前記洗浄ブラシを使用しないときには、前記ブラシ部は、前記洗浄ブラシ収納口に差し込んで収納されるものである。
【発明の効果】
【００１２】
本発明の内視鏡洗浄装置によれば、リーク検査工程の作業効率を向上できる。
【図面の簡単な説明】
【００１３】
【図１】内視鏡洗浄装置及び内視鏡を示した斜視図。
【図２】洗浄ユニットを示した平面図。
【図３】洗浄ユニットを示した斜視図。
【図４】リーク検査工程の際の洗浄ユニットを示した平面図。
【発明を実施するための形態】
【００１４】
図１を用いて、内視鏡洗浄装置１００、内視鏡２００及び洗浄ブラシ３００について説明する。
なお、図１では、内視鏡洗浄装置１００、内視鏡２００及び洗浄ブラシ３００を斜視にて表している。また、図１では、分かり易く説明するため、内視鏡洗浄装置１００の洗浄ユニット１０と制御ユニット５０とを接続するホース類の図示を省略している。
【００１５】
内視鏡洗浄装置１００は、本発明の内視鏡洗浄装置に係る実施形態である。内視鏡洗浄装置１００は、内視鏡２００の洗浄及び消毒を半自動的に行う装置である。内視鏡洗浄装置１００は、洗浄ユニット１０と、制御ユニット５０と、を備えている。
【００１６】
洗浄ユニット１０は、洗浄される内視鏡２００が収納されるものである。洗浄ユニット１０は、洗浄槽２０と、載置部３０と、を備えている。なお、洗浄ユニット１０について、詳しくは後述する。
【００１７】
制御ユニット５０は、洗浄ユニット１０又は洗浄ユニット１０に収納された内視鏡２００へ水、洗剤又は洗浄液（水＋洗剤）を循環させる、或いは、圧縮空気を供給制御するものである。制御ユニット５０の内部には、圧縮空気を供給するエアポンプ（図示略）と、水、洗剤又は洗浄液を循環させる循環ポンプ（図示略）と、制御回路（図示略）等と、が設けられている。
【００１８】
制御ユニット５０の正面側には、縦一列に、水、洗剤又は洗浄液を洗浄ユニット１０又は洗浄ユニットに収納された内視鏡２００へ循環させるためのホースを接続するアダプタ類５１が配置されている。また、制御ユニットの正面側には、圧縮空気を洗浄ユニット１０に収納された内視鏡２００へ供給するためのホースを接続するアダプタ５２が配置されている。
【００１９】
内視鏡２００は、医療現場において、生体の体腔内の検査や治療を行う器具である。内視鏡２００は、コネクタ部２１０と、ユニバーサルコード２２０と、操作部２３０と、挿入部２４０と、を備えている。
【００２０】
コネクタ部２１０には、光源装置やビデオプロセッサに配線を接続するための接点部が設けられている。また、コネクタ部２１０には、後述するリーク検査工程を行う際に、圧縮空気を供給するためのリーク検査用ホース４００（図４参照）を接続する接続口２１０Ａが設けられている。
【００２１】
ユニバーサルコード２２０は、コネクタ部２１０と操作部２３０とを接続している。
操作部２３０は、挿入部２４０のアングルを操作するアングルノブ２３０Ａと、送気・送水シリンダ２３０Ｂと、処理具を挿入する鉗子口２３０Ｃと、を備えている。
【００２２】
挿入部２４０は、操作部２３０に接続され、可撓性のある棒状体で構成されている。挿入部２４０の先端には、体腔内を照明する照明部（図示略）と、体腔内を撮影する撮影部（図示略）とが設けられている。
【００２３】
洗浄ブラシ３００は、内視鏡２００の内部に形成される複数の管路内に付着した汚物を取り除くために用いられるものである。なお、洗浄ブラシ３００は、内視鏡２００に予め付属されているものである。洗浄ブラシ３００は、ブラシ部３１０と、ワイヤー部３２０と、取手部３３０と、を備えている。ブラシ部３１０は、ワイヤー部３２０の先端側に設けられている。取手部３３０は、ワイヤー部３２０の他端側に設けられている。
【００２４】
図２及び図３を用いて、洗浄ユニット１０について説明する。
なお、図２では、洗浄ユニット１０を平面視にて表している。また、図３では、洗浄ユニット１０を斜視にて表している。また、以下では、洗浄ユニット１０について、図２及び図３に示す左右方向及び前後方向に従って説明する。
【００２５】
洗浄ユニット１０は、上述したように、洗浄される内視鏡２００が収納され、洗浄槽２０と、載置部３０と、を備えている。また、洗浄槽２０は、ベース２１に嵌合されている（図３参照）。
【００２６】
洗浄槽２０は、収納部２０Ａと、平面部２０Ｂと、から形成されている。収納部２０Ａは、内視鏡２００が収納される容器部分である。平面部２０Ｂは、洗浄槽２０の周囲上面に形成される平面部分である。
【００２７】
収納部２０Ａは、内側面部２０Ｃと、底面部２０Ｄと、から形成されている。内側面部２０Ｃは、収納部２０Ａの内側の側面である。底面部２０Ｄは、収納部２０Ａの底面である。
【００２８】
内側面部２０Ｃには、送気・送水口４４と、洗浄ブラシ収納口４６と、が形成されている。
【００２９】
送気・送水口４４は、内側面部２０Ｃの左右方向の右側かつ前後方向の前部に形成されている。送気・送水口４４は、制御ユニット５０から送られる水、洗剤又は洗浄液が吐出される接続部である。送気・送水口４４から吐出された水、洗剤又は洗浄液は、洗浄槽２０の収納部２０Ａを循環する、或いは、接続ホースによって内視鏡２００の操作部２３０に設けられる送気・送水シリンダ２３０Ｂ及び鉗子口２３０Ｃに供給される。
【００３０】
洗浄ブラシ収納口４６は、内側面部２０Ｃの左右方向の右側かつ前後方向の略中央部に形成されている。洗浄ブラシ収納口４６は、洗浄ブラシ取り出し口４５から取り出された洗浄ブラシ３００のブラシ部３１０が収納される開口部である。洗浄ブラシ収納口４６は、長穴形状に形成されている。
【００３１】
洗浄ブラシ収納口４６は、洗浄槽２０の側面視にて、洗浄槽２０に水を入れた場合の水面と平行になるように形成されている。また、洗浄ブラシ収納口４６と後述する洗浄ブラシ取り出し口４５とは、洗浄ブラシ収納口４６の長手方向と洗浄ブラシ取り出し口４５の長手方向とが洗浄槽２０の側面視又は平面視にて略平行となるように形成されている。洗浄ブラシ３００が使用されないときには（例えば、リーク検査工程）、洗浄ブラシ３００のブラシ部３１０が洗浄ブラシ収納口４６に差し込まれて収納される（図４参照）。
【００３２】
底面部２０Ｄには、排水口４１と、給水口４３と、が設けられ、第一底面部２０Ｐと、第二底面部２０Ｑと、仕切り壁２０Ｍと、凸部２０Ｔと、が形成されている。
【００３３】
第一底面部２０Ｐは、底面部２０Ｄの左右方向の左部及び略中央部に形成されている。第一底面部２０Ｐは、左右方向の左側から右側に向かって下降する傾斜面として形成されている。
【００３４】
第二底面部２０Ｑは、底面部２０Ｄの左右方向の右端部に形成されている。第二底面部２０Ｑは、第一底面部２０Ｐより低い位置に形成されている。
【００３５】
仕切り壁２０Ｍは、平面視にて、底面部２０Ｄの前後方向の前端部かつ左右方向の略中央部から左右方向の右端部かつ前後方向の略中央部まで形成されている。すなわち、仕切り壁２０Ｍは、平面視にて、第一底面部２０Ｐから第二底面部２０Ｑに亘って形成されている。仕切り壁２０Ｍの高さは、第一底面部２０Ｐの高さと第二底面部２０Ｑの高さとの差と略同一の高さとされている。
【００３６】
なお、仕切り壁２０Ｍは、洗浄槽２０に内視鏡２００が収納されたとき、内視鏡２００の操作部２３０が載置される部分である（図３参照）。
【００３７】
仕切り壁２０Ｍの第二底面部２０Ｑにおける左右方向の右端部は、排水口４１及び送気・送水口４４と給水口４３との間に位置するように形成されている。仕切り壁２０Ｍの第二底面部２０Ｑにおける左右方向の右端部には、通路２０Ｘが形成されている。通路２０Ｘは、仕切り壁２０Ｍが内側面部２０Ｃまで到達せず、所定の隙間が形成されることによって構成されている。
【００３８】
凸部２０Ｔは、洗浄槽２０に内視鏡２００が収納されたとき、ユニバーサルコード２２０及び挿入部２４０が捲回して収納されるものである。凸部２０Ｔは、左右方向の左部かつ前後方向の略中央部に平面視円形状の凸部として形成されている。
【００３９】
排水口４１は、第二底面部２０Ｑの左右方向の右端部かつ前後方向の略中央部に設けられ、洗浄槽２０内部の水又は洗浄水を全て排水する開口部である。排水口４１は、洗浄槽２０内部の水又は洗浄水を全て排水する時以外は、栓等によって塞がれている。
【００４０】
給水口４３は、第二底面部２０Ｑの左右方向の右端部かつ前後方向の後部に設けられ、洗浄槽２０から制御ユニット５０に向かって水、洗剤又は洗浄液が給水される開口部である。洗浄槽２０を循環した水、洗剤又は洗浄液は、給水口４３から制御ユニット５０に給水される。
【００４１】
平面部２０Ｂには、載置部３０が設けられている。また、平面部２０Ｂには、洗浄ブラシ取り出し口４５が設けられている。
【００４２】
載置部３０は、平面部２０Ｂの左右方向の右端部に着脱可能に取り付けられている。なお、平面部２０Ｂの左右方向の右側とは、洗浄槽２０に内視鏡２００が載置されたときに、コネクタ部２１０が位置する側である。載置部３０は、リーク検査工程Ｓ１１０にて、内視鏡２００のコネクタ部２１０が載置されるものである。載置部３０には、第一掛止部３１と、第二掛止部３２と、が設けられている。
【００４３】
第一掛止部３１は、棒状部材を載置部３０の前後方向の後部かつ左右方向の左端部から上方に突出して設けられている。第一掛止部３１の先端部は、左右方向の左側に折り曲げられて形成されている。第二掛止部３２は、棒状部材を載置部３０の前後方向の前部かつ左右方向の右端部から上方に突出して設けられている。第二掛止部３２の先端部は、左右方向の右側に折り曲げられて形成されている。なお、第二掛止部３２の高さは、第一掛止部３１よりも低いものとされ、内視鏡２００のコネクタ部２１０の大きさに合わせている。
【００４４】
なお、第一掛止部３１と第二掛止部３２による掛止構成は上記構成に限定されるものではなく、例えば、凹状の部材等で構成しても良い。
【００４５】
洗浄ブラシ取り出し口４５は、平面部２０Ｂの左右方向の右側かつ前後方向の前側に形成されている。洗浄ブラシ取り出し口４５は、洗浄ブラシ３００が取り出される開口部である。洗浄ブラシ取り出し口４５は、長穴形状に形成されている。洗浄ブラシ取り出し口４５と洗浄ブラシ収納口４６とは、洗浄ブラシ取り出し口４５の長手方向と洗浄ブラシ収納口４６の長手方向とが洗浄槽２０の側面視又は平面視にて略平行となるように形成されている。洗浄ブラシ３００は、洗浄槽２０とベース２１との間に形成される空間部に収納され、ブラシ部３１０が洗浄ブラシ取り出し口４５から取り出される（図４参照）。
【００４６】
図４を用いて、リーク検査工程の際の内視鏡洗浄装置１００（洗浄ユニット１０の洗浄槽２０）について説明する。
なお、図４では、内視鏡２００及び洗浄ブラシ３００が洗浄ユニット１０に収納された状態を表している。
【００４７】
リーク検査工程では、内視鏡２００のコネクタ部２１０以外の部分を、水を入れた洗浄槽２０に収納し、制御ユニット５０のエアポンプからリーク検査用ホース４００を介して圧縮空気を内視鏡２００内部に供給し、水中の内視鏡２００からの気泡の有無にて内視鏡２００の漏れを確認する工程である。
【００４８】
内視鏡２００が洗浄槽２０に収納されている際には、コネクタ部２１０は、載置部３０に載置されている。また、コネクタ部２１０の接続口２１０Ａは、リーク検査用ホース４００に接続されている。内視鏡２００のコネクタ部２１０が載置部３０に載置されているとき、載置部３０からズレ落ちることがないように、コネクタ部２１０は、第一掛止部３１及び第二掛止部３２に掛止されている。
【００４９】
内視鏡２００が洗浄槽２０に収納されているとき、操作部２３０は、収納部２０Ａの底面部２０Ｄに形成される仕切り壁２０Ｍに載置される。さらに、ユニバーサルコード２２０及び挿入部２４０は、収納部２０Ａの底面部２０Ｄに形成される凸部２０Ｔに捲回されて収納されている。
【００５０】
洗浄ブラシ３００は、洗浄槽２０とベース２１との間の空間に収納され、洗浄ブラシ取り出し口４５からブラシ部３１０が洗浄槽２０の収納部２０Ａに取り出されるように収納されている。
【００５１】
リーク検査工程では、洗浄ブラシ３００が使用されないので、洗浄ブラシ３００のブラシ部３１０は、洗浄ブラシ収納口４６に収納されている。なお、洗浄ブラシ３００が使用されない他の工程（例えば、すすぎ工程）でも、洗浄ブラシ３００のブラシ部３１０は洗浄ブラシ収納口４６に収納される。
【００５２】
内視鏡洗浄装置１００（洗浄ユニット１０の洗浄槽２０）の効果について説明する。
内視鏡洗浄装置１００によれば、リーク検査工程の作業効率を向上できる。
従来、リーク検査工程では、内視鏡２００のコネクタ部２１０の接続口２１０Ａにリーク検査用ホース４００を接続する作業は、作業者は一方の手でコネクタ部２１０を支持し、他方の手で接続口２１０Ａにリーク検査用ホース４００を接続する必要があり、作業効率が悪かった。
【００５３】
本実施形態の内視鏡洗浄装置１００では、リーク検査工程において、載置部３０にコネクタ部２１０を載置することによって、コネクタ部２１０を支持し、作業効率を向上している。
【００５４】
また、載置部３０を着脱可能に設けられる構成とすることによって、内視鏡２００のサイズに合わせて載置部３０を揃えて洗浄槽２０に取り付け、内視鏡洗浄装置１００の汎用性を向上できる。
【００５５】
また、従来、洗浄ブラシ３００が必要とされない洗浄工程以外では、洗浄ブラシ３００のブラシ部３１０が洗浄槽２０内に放置されたままで作業効率が悪かった。
【００５６】
本実施形態の内視鏡洗浄装置１００では、リーク検査工程では使用しない洗浄ブラシ３００について、ブラシ部３１０を洗浄ブラシ収納口４６に収納することによって、洗浄槽２０に洗浄ブラシ３００を放置されることを防止し、作業効率を向上している。
【００５７】
また、洗浄ブラシ取り出し口４５を平面部２０Ｂ形成することによって、洗浄ブラシ３００をスムーズに引き出す、或いは、押し込むことができる。
【００５８】
さらに、洗浄ブラシ取り出し口４５及び洗浄ブラシ収納口４６が長穴形状に形成され、洗浄ブラシ取り出し口４５の長手方向と洗浄ブラシ収納口４６の長手方向とが略平行となるように形成することによって、洗浄ブラシ３００が洗浄槽２０の中に大きくたわんで収納されることがなく、他の作業の邪魔になることはない。また、洗浄ブラシ３００が無理に曲げられないことによって、ワイヤー部３２０が折れ曲がることがない。
【符号の説明】
【００５９】
１０        洗浄ユニット
２０        洗浄槽
３０        載置部
４５        洗浄ブラシ取り出し口
４６        洗浄ブラシ収納口
１００      内視鏡洗浄装置
２００      内視鏡
２１０      コネクタ部
２１０Ａ    接続口
３００      洗浄ブラシ
３１０      ブラシ部
４００      リーク検査用ホース
【図１】
2014100219.tif 000003
【図２】
2014100219.tif 000004
【図３】
2014100219.tif 000005
【図４】
2014100219.tif 000006